【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
リムを用いずに眼鏡レンズの縁部に切欠部を設けてこの切欠部に取付部材をはめ込んで取り付けるようにしたリムレス眼鏡であって、
前記切欠部は、前記眼鏡レンズの縁から中央側に向かってほぼ一定の幅又は次第に狭まる幅を有し、その内周壁部に前記眼鏡レンズの表裏面にほぼ平行な突条が形成されたものであり、
前記取付部材は、この取付部材を前記眼鏡レンズの縁側から前記切欠部に挿入してはめ込むとき、前記切欠部の内周壁部に当たる部位に前記切欠部の突条に嵌まる溝条が形成されたものであり、前記取付部材を前記眼鏡レンズの縁側から前記切欠部に挿入し、前記取付部の溝条が前記切欠部の突条に嵌まるようにしてはめ込むことにより、前記取付部材を前記切欠部に取り付けるようにしたことを特徴とするリムレス眼鏡。
【請求項２】
リムを用いずに眼鏡レンズの縁部に切欠部を設けてこの切欠部に取付部材をはめ込んで取り付けるようにしたリムレス眼鏡であって、
前記切欠部は、前記眼鏡レンズの縁から中央側に向かってほぼ一定の幅又は次第に狭まる幅を有し、その内周壁部に前記眼鏡レンズの表裏面にほぼ平行な溝条が形成されたものであり、
前記取付部材は、この取付部材を前記眼鏡レンズの縁側から前記切欠部に挿入してはめ込むとき、前記切欠部の内周壁部に当たる部位に前記切欠部の溝条に嵌まる突条が形成されたものであり、
前記取付部材を前記眼鏡レンズの縁側から前記切欠部に挿入し、前記取付部の突条が前記切欠部の溝条に嵌まるようにしてはめ込むことにより、前記取付部材を前記切欠部に取り付けるようにしたことを特徴とするリムレス眼鏡。
【請求項３】
前記取付部材の幅が切欠部の幅にほぼ等しいか又は小さいことを特徴とする請求項１又は２記載のリムレス眼鏡。
【請求項４】
前記切欠部は、前記眼鏡レンズの表裏面の少なくともいずれか一方側が閉じられた形状をなすことを特徴とする請求項１ないし３のいずれかに記載のリムレス眼鏡。
【請求項５】
リムを用いずに眼鏡レンズの縁部に取付部材を直接取り付ける取付構造を備え、この取付部材にヒンジ構造を設けてテンプルを折り畳み可能に取り付けるようにしたリムレス眼鏡であって、前記取付部材は、前記眼鏡レンズの表裏面にほぼ直交する方向に延長されるよろい部を有せずに、この取付部材を眼鏡レンズに取り付ける部位に直接ヒンジ構造を形成して前記テンプルを折り畳み可能に取り付けたものであることを特徴とするリムレス眼鏡。
【請求項６】
リムを用いずに眼鏡レンズの縁部に切欠部を設けてこの切欠部に取付部材をはめ込んで取り付けるようにしたリムレス眼鏡用の眼鏡フレームであって、
前記取付部材は、前記切欠部にはめ込むときに、前記眼鏡レンズの縁部側に位置する部位から中央側に位置する部位に向かって、ほぼ一定の幅又は次第に狭まる幅を有し、この取付部材を前記眼鏡レンズの縁側から前記切欠部に挿入してはめ込むときに前記切欠部の内周壁部に当たる部位に設けられた突条であって、前記眼鏡レンズの表裏面にほぼ平行な前記突条を有することを特徴とするリムレス眼鏡用の眼鏡フレーム。
【請求項７】
リムを用いずに眼鏡レンズの縁部に切欠部を設けてこの切欠部に取付部材をはめ込んで取り付けるようにしたリムレス眼鏡用の眼鏡フレームであって、
前記取付部材は、前記切欠部にはめ込むときに、前記眼鏡レンズの縁部側に位置する部位から中央側に位置する部位に向かって、ほぼ一定の幅又は次第に狭まる幅を有し、この取付部材を前記眼鏡レンズの縁側から前記切欠部に挿入してはめ込むときに前記切欠部の内周壁部に当たる部位に設けられた溝条であって、前記眼鏡レンズの表裏面にほぼ平行な前記溝条を有することを特徴とするリムレス眼鏡用の眼鏡フレーム。
【手続補正２】
【補正対象書類名】明細書
【補正対象項目名】００１１
【補正方法】変更
【補正の内容】
【００１１】
【課題を解決するための手段】上述の課題を解決するための手段として、第１の手段は、リムを用いずに眼鏡レンズの縁部に切欠部を設けてこの切欠部に取付部材をはめ込んで取り付けるようにしたリムレス眼鏡であって、前記切欠部は、前記眼鏡レンズの縁から中央側に向かってほぼ一定の幅又は次第に狭まる幅を有し、その内周壁部に前記眼鏡レンズの表裏面にほぼ平行な突条が形成されたものであり、前記取付部材は、この取付部材を前記眼鏡レンズの縁側から前記切欠部に挿入してはめ込むとき、前記切欠部の内周壁部に当たる部位に前記切欠部の突条に嵌まる溝条が形成されたものであり、前記取付部材を前記眼鏡レンズの縁側から前記切欠部に挿入し、前記取付部の溝条が前記切欠部の突条に嵌まるようにしてはめ込むことにより、前記取付部材を前記切欠部に取り付けるようにしたことを特徴とするリムレス眼鏡である。第２の手段は、リムを用いずに眼鏡レンズの縁部に切欠部を設けてこの切欠部に取付部材をはめ込んで取り付けるようにしたリムレス眼鏡であって、前記切欠部は、前記眼鏡レンズの縁から中央側に向かってほぼ一定の幅又は次第に狭まる幅を有し、その内周壁部に前記眼鏡レンズの表裏面にほぼ平行な溝条が形成されたものであり、前記取付部材は、この取付部材を前記眼鏡レンズの縁側から前記切欠部に挿入してはめ込むとき、前記切欠部の内周壁部に当たる部位に前記切欠部の溝条に嵌まる突条が形成されたものであり、前記取付部材を前記眼鏡レンズの縁側から前記切欠部に挿入し、前記取付部の突条が前記切欠部の溝条に嵌まるようにしてはめ込むことにより、前記取付部材を前記切欠部に取り付けるようにしたことを特徴とするリムレス眼鏡である。第３の手段は、前記取付部材の幅が切欠部の幅にほぼ等しいか又は小さいことを特徴とする第１又は第２の手段にかかるリムレス眼鏡である。第４の手段は、前記切欠部は、前記眼鏡レンズの表裏面の少なくともいずれか一方側が閉じられた形状をなすことを特徴とする第１ないし第３のいずれかの手段にかかるリムレス眼鏡である。第５の手段は、リムを用いずに眼鏡レンズの縁部に取付部材を直接取り付ける取付構造を備え、この取付部材にヒンジ構造を設けてテンプルを折り畳み可能に取り付けるようにしたリムレス眼鏡であって、前記取付部材は、前記眼鏡レンズの表裏面にほぼ直交する方向に延長されるよろい部を有せずに、この取付部材を眼鏡レンズに取付る部位に直接ヒンジ構造を形成して前記テンプルを折り畳み可能に取り付けたものであることを特徴とするリムレス眼鏡である。第６の手段は、リムを用いずに眼鏡レンズの縁部に切欠部を設けてこの切欠部に取付部材をはめ込んで取り付けるようにしたリムレス眼鏡用の眼鏡フレームであって、
前記取付部材は、前記切欠部にはめ込むときに、前記眼鏡レンズの縁部側に位置する部位から中央側に位置する部位に向かって、ほぼ一定の幅又は次第に狭まる幅を有し、この取付部材を前記眼鏡レンズの縁側から前記切欠部に挿入してはめ込むときに前記切欠部の内周壁部に当たる部位に設けられた突条であって、前記眼鏡レンズの表裏面にほぼ平行な前記突条を有することを特徴とするリムレス眼鏡用の眼鏡フレームである。第７の手段は、リムを用いずに眼鏡レンズの縁部に切欠部を設けてこの切欠部に取付部材をはめ込んで取り付けるようにしたリムレス眼鏡用の眼鏡フレームであって、
前記取付部材は、前記切欠部にはめ込むときに、前記眼鏡レンズの縁部側に位置する部位から中央側に位置する部位に向かって、ほぼ一定の幅又は次第に狭まる幅を有し、この取付部材を前記眼鏡レンズの縁側から前記切欠部に挿入してはめ込むときに前記切欠部の内周壁部に当たる部位に設けられた溝条であって、前記眼鏡レンズの表裏面にほぼ平行な前記溝条を有することを特徴とするリムレス眼鏡用の眼鏡フレームである。
【手続補正３】
【補正対象書類名】明細書
【補正対象項目名】００１２
【補正方法】変更
【補正の内容】
【００１２】
上述の第１〜第６の手段によれば、取付部材を切欠部にはめ込んで取り付けると、取付部材に設けた溝条又は突条を切欠部に設けた突条又は溝条にはめ込まれて固定されるので、堅固な固定が可能である。また、ネジ等を用いて固定する場合に比較して、取り付け後にゆるむような虞れは極めて少なくできる。固定の接触面（接着面）を大きく確保できるので、堅固な取り付けを維持できる。同時に取付部材の大きさを切欠部の大きさにほぼ同じ程度に小さく形成できる。しかも、取付部材をレンズ面から突出させずにレンズ面とフラットにすることが可能であるので、美観上極めて有利であり、また、レンズ面をふく際の操作性も極めてよい。さらに、取付部材の大きさを小さくできるので、 
有効視野を広く確保できる。また、切欠部がレンズ縁部から同じ幅又は次第に小さくなる幅を有するので、加工が簡単で自動化も容易である。取付部材に設けた溝条又は突条を切欠部に設けた突条又は溝条にはめ込むことができる構造を確保できさえすればよいので、レンズ厚さに左右されることは少なく、レンズコバの肉厚を薄くすることも厚くすることも何ら問題がない。したがって、度付き眼鏡への適用が極めて容易である。取り付け構造部分を目立たなくすることが容易であり、デザイン上違和感がない。固定の構造上、様々な材質を用いても堅固な取り付けが可能であるので、材質を選ばない。また、第５の手段によれば、よろい部を設けずに取付部材に直接ヒンジを設けて直接テンプルを折り畳み可能に取り付けることもできる。これによれば、従来にない極めて画期的で斬新なデザインとすることが可能である。